(57)【要約】      （修正有）【課題】非常用光源の化粧枠を取り外すことなく蓄電池を交換可能な照明装置を提供する。【解決手段】照明装置は、長尺状の第１の光源と、第１の光源の長手方向に隣接して配置される第２の光源２１と、外部電源の電力を充電可能な蓄電池２６と、蓄電池２６の電力を第２の光源２１に供給し、この第２光源２１を点灯させる点灯ユニットと、第１の光源および第２の光源２１を収容するとともに、蓄電池２６と点灯ユニットを収容する凹部５が形成された筐体４と、第２の光源２１および点灯ユニットを覆い、凹部５に固定されるとともに第１の光源に対向した面に蓄電池２６を挿入可能な開口部２４２を有する化粧枠２４とを備える。【選択図】図７
2019175747.tif 000002
【特許請求の範囲】
【請求項１】
長尺状の第１の光源と；
前記第１の光源の長手方向に隣接して配置される第２の光源と；
外部電源の電力を充電可能な蓄電池と；
前記蓄電池の電力を前記第２の光源に供給し、この第２光源を点灯させる点灯ユニットと；
前記第１の光源および前記第２の光源を収容するとともに、前記蓄電池と前記点灯ユニットを収容する凹部が形成された筐体と；
前記第２の光源および前記点灯ユニットを前記凹部に固定するとともに、前記第１の光源に対向した面に前記蓄電池を挿入可能な開口部を有する化粧枠と；
を具備していることを特徴とする照明装置。
【請求項２】
前記蓄電池は、長尺状であり、この蓄電池の長手方向が前記第１の光源の長手方向に沿って配置されることを特徴とする請求項１に記載の照明装置。
【請求項３】
前記第２の光源は、前記点灯ユニットに固定されるとともに、前記点灯ユニットは、前記化粧枠に固定されることを特徴とする請求項１または２に記載の照明装置。
【発明の詳細な説明】
【技術分野】
【０００１】
本発明の実施形態は、照明装置に関する。
【背景技術】
【０００２】
例えば住宅や、商業施設、工場等の天井面に直接取り付けられる従来の照明器具の一例として、常用点灯用光源を有する照明器具の器具本体内に非常灯を組み込んだ非常灯組み込み形照明器具が開発されている。この非常灯組み込み形照明器具は、通常時は商用電源のような外部電源の電力を用いて光源を点灯させ、外部電源からの給電が停止した非常時には、内蔵した蓄電池の電力を用いて光源を点灯させる構成になっている。
【０００３】
このような非常灯組み込み型の照明器具として、一般光源を有する照明器具と非常用光源を有する照明器具とを並べて配置した照明器具がある。
【０００４】
このような非常灯は、非常用光源と点灯ユニットと蓄電池などを有し化粧枠（カバー）にて覆われる。しかしながら、蓄電池を交換する場合、一般光源を取り外した後に化粧枠を取り外し蓄電池を交換する。そのため、蓄電池を交換する度に化粧枠を取りはずす必要があり、交換作業が煩雑になるという不都合が生じていた。また、化粧枠の取付位置がずれると非常用光源から出る光を遮断してしまう虞があるため、化粧枠を取り付ける度に非常用光源と化粧枠の位置を調整する必要があった。
【先行技術文献】
【特許文献】
【０００５】
【特許文献１】特開２０１７−４５６１４号公報
【発明の概要】
【発明が解決しようとする課題】
【０００６】
本発明が解決しようとする課題は、非常用光源の化粧枠を取り外すことなく蓄電池を交換可能な照明装置を提供することである。
【課題を解決するための手段】
【０００７】
実施形態の照明装置は、長尺状の第１の光源と、第１の光源の長手方向に隣接して配置される第２の光源と、外部電源の電力を充電可能な蓄電池と、蓄電池の電力を第２の光源に供給し、この第２光源を点灯させる点灯ユニットと、第１の光源および第２の光源を収容するとともに、蓄電池と点灯ユニットを収容する凹部が形成された筐体と、第２の光源および点灯ユニットを覆い、凹部に固定されるとともに第１の光源に対向した面に蓄電池を挿入可能な開口部を有する化粧枠とを備える。
【発明の効果】
【０００８】
本発明によれば、非常灯の化粧枠を取り外すことなく蓄電池の交換ができるため、蓄電池の交換作業を容易にすることが期待できる。
【図面の簡単な説明】
【０００９】
【図１】実施形態の非常灯組み込み形の照明装置の全体の外観を示す斜視図である。
【図２】同上照明装置の筐体から取り外された状態の非常灯の概略斜視図である。
【図３】同上照明装置における非常灯の正面図である。
【図４】同上照明装置の化粧枠の斜視図である。
【図５】同上照明装置の非常灯の分解斜視図である。
【図６】同上照明装置の分解斜視図である。
【図７】同上照明装置の筐体に固定された非常灯の斜視図である。
【発明を実施するための形態】
【００１０】
図１を参照して、実施形態に係る非常灯及び照明装置の全体の構成について説明する。
【００１１】
図１は、たとえば住宅や、商業施設、工場等の天井面に直接取り付けられる実施形態の非常灯組み込み形の照明装置の全体の外観を示す斜視図である。本実施形態の照明装置１００は、図１に示すように、常用点灯用光源である長尺状の第１の光源３としてＬＥＤバー３（以下第１の光源３をＬＥＤバー３と称す）と、ＬＥＤバー３を保持する筐体４とを備える。ＬＥＤバー３は、商用電源などの外部電源から供給された電力で点灯する。
【００１２】
さらに、照明装置１００は、通常時にＬＥＤバー３を点灯させる図示しない常用電源ユニットと、常用電源ユニットを外部電源に接続する図示しない電源端子台とを有する常用点灯用の構成部品を備える。ＬＥＤバー３は、複数種類の機種が予め準備されており、適宜選択的に使用可能になっている。
【００１３】
照明装置１００の筐体４には、常用点灯用の構成部品およびＬＥＤバー３を収容するとともに、一端部（図１中で照明装置１００の長手方向の右端部）に非常点灯用光源としての第２の光源２１を有する非常灯２が配置される（以降第２の光源を非常用光源２１と称す）凹部５が形成される。すなわち、本実施形態では、凹部５の一端部側に非常灯２を収容し、他端側にＬＥＤバー３が収容される。凹部５内にＬＥＤバー３および非常灯２を収容することで、常用点灯用のＬＥＤバー３と非常灯２とを隣接配置している。つまり、非常用光源２１とＬＥＤバー３は隣接して配置される。さらに、非常灯２は、点検スイッチ２２、モニタ用ＬＥＤ２３を有し、化粧枠２４により筐体４に取り付けられる。
【００１４】
（非常灯２の詳細）
【００１５】
次に、図２ないし図４を参照して、非常灯２の詳細について説明する。
【００１６】
図２は、照明装置１００の筐体４から取り外され、化粧枠２４が取り外された状態の非常灯２の概略斜視図である。図２に示すように、非常灯２は、非常用光源２１、点検スイッチ２２、モニタランプ２３に加えて、放熱板４０、点灯ユニット２７、蓄電池２６を有する。非常用光源２１は、レンズ２１１、レンズ固定ケース２１４を有し、このレンズ固定ケース２１４は、レンズ２１１を放熱板４０に固定する。
【００１７】
放熱板４０は、たとえば、金属板で形成されており、非常用光源２１のモジュール固定ケース２１３が固定されるとともに、放熱板４０は点灯ユニット２７に固定される。また、放熱板４０は取付孔４０１を有し、この取付孔４０１を介して化粧枠２４に取り付けられる。放熱板４０を化粧枠２４に取り付ける詳細は後述する。
【００１８】
点灯ユニット２７は、非常用光源２１を点灯および蓄電池２６を充電するための点灯基板（図示しない）を備えたユニットであり、ＬＥＤバー３の光源の長手方向に沿って長尺状に形成されている。
【００１９】
点検スイッチ２２は、非常灯２の非常用光源２１を点灯させるスイッチである。
【００２０】
モニタランプ２３は、たとえば、蓄電池２６の充電状態を表示するランプである。
【００２１】
これら点検スイッチ２２、モニタランプ２３は点灯基板に実装され、点灯ユニット２７に収容されるとともに、ＬＥＤバー３の光出射方向側から操作または視認可能に構成される。
【００２２】
蓄電池２６は、ニカド電池、ニッケル水素電池、あるいはリチウムイオン電池などの充電可能な二次電池である。蓄電池２６は点灯基板から延びた配線（図示しない）が接続されており、平常時は外部から供給される電力を充電し、非常時は充電した電力を光源モジュール２１２に供給する。蓄電池２６は、ＬＥＤバー３の長手方向に沿った長尺状に形成され、点灯ユニット２７に隣接して配置される。点灯ユニット２７および蓄電池２６は、ＬＥＤバー３の長手方向に沿って長尺状に形成されているため、互いに隣接して配置することにより凹部５の限られた収納スペースの中で効率よく配置することができる。
【００２３】
図３は、非常灯２の正面図であり、化粧枠２４、レンズ２１１、レンズ固定ケース２１４を省略して図示している。非常用光源２１は、さらに光源モジュール２１２およびモジュール固定ケース２１３を有する。
【００２４】
光源モジュール２１２は、たとえばＬＥＤモジュールであり蓄電池２６から電力が供給され点灯する。光源モジュール２１２から出射された光はレンズ２１１により拡散され照明装置１００の外部に出射される。
【００２５】
モジュール固定ケース２１３は、たとえば樹脂製のケースであり、光源モジュール２１２を放熱板４０に固定する。具体的には、モジュール固定ケース２１３は光源モジュール２１２の発光部に対応した開口部を有しており、この開口部の外周側に設けられた取付孔を介してネジ２１５により放熱板４０に固定される。光源モジュール２１２は、放熱板４０とモジュール固定ケース２１３に挟み込まれ固定される。また、モジュール固定ケース２１３は光源モジュール２１２と電気的に接続されたコネクタ部２１６を有しており、点灯基板から延びた配線（図示しない）を接続することで蓄電池２６の電力を光源モジュール２１２に供給される。
【００２６】
図４に化粧枠２４の斜視図を示す。
【００２７】
化粧枠２４は、蓄電池２６、点灯ユニット２７を覆う樹脂製のカバーである。この化粧枠２４は、筐体４に設置した場合ＬＥＤバー３と略同一の高さを有する。化粧枠２４とＬＥＤバーの高さを略同一にすることにより化粧枠２４がＬＥＤバー３から出射された光を遮ることを抑制することができる。また、化粧枠２４は、中央に非常用光源２１のレンズ２１１が挿通して露出される光源開口部２４３が円形状に形成される。さらに、化粧枠２４は、点検スイッチ２２が挿通されるスイッチ開口部２４４およびモニタランプ２３を視認可能に形成されたモニタ開口部２４５が形成される。
【００２８】
さらに、化粧枠２４は固定部２４１を有し、この固定部２４１を介して非常用光源２１、放熱板４０および点灯ユニット２７を筐体４の凹部５に固定する。具体的には、化粧枠２４は放熱板４０が取り付けられる取付孔２４４が形成されており、この取付孔２４４と点灯ユニット２７に取り付けられた放熱板４０の取付孔４０１とがネジ止め固定される。この点灯ユニット２７が取り付けられた化粧枠２４は、固定部２４１と筐体４の凹部５をネジ止め固定される。
【００２９】
これにより点灯ユニット２７を筐体４に取り付ける前に、化粧枠２４の光源開口部２４３と非常用光源２１、スイッチ開口部２４４と点検スイッチ２２、モニタ開口部２４５とモニタランプ２３との位置を調整することができるため、従来のように化粧枠２４を筐体４に取り付けた後に化粧枠２４と点灯ユニットの位置調整を行う作業が必要なく、作業工程が削減される。
【００３０】
さらに、化粧枠２４は、ＬＥＤバー３に対向するとともに、固定部２４１に隣接して設けられた開口部２４２を有する。この開口部２４２は蓄電池２４を挿入可能な大きさに形成される。ＬＥＤバー３側から開口部２４２を介して蓄電池２６を通過させることにより、化粧枠２４を筐体４から取り外すことなく蓄電池２６を交換することができる。そのため、蓄電池２６を交換する度に化粧枠２４を取り外す必要がないため蓄電池２６の交換作業が容易となる。さらに、化粧枠２４を取り外すことにより発生する非常用光源２１と化粧枠２４との位置を調整する作業が削減されるため、蓄電池２６を交換する際の作業工程が削減される。
【００３１】
次に、筐体４に非常灯２を取り付ける手順を説明する。
【００３２】
図５に非常灯２の分解斜視図を示し、図６に照明装置１００の分解斜視図を示し、図７に筐体４に固定された非常灯２の斜視図を示す。筐体４に非常灯２を取り付けるには、概略として、非常用光源２１を点灯ユニット２７の放熱板４０にネジ固定するとともに、放熱板４０を化粧枠２４にネジ固定し、化粧枠２４を筐体４の凹部５にネジ固定したあとに、蓄電池２６を開口部２４２を通して化粧枠２４に挿入する。
【００３３】
より詳細には、図５に示すように、まず放熱板４０に光源モジュール２１２を配置するとともに、モジュール固定ケース２１３の取付孔２１５を介して放熱板４０にネジ２１５により固定する。  次いで、放熱板４０を点灯ユニット２７に取りつけるとともに、点灯ユニット２７から伸びた配線を非常用光源２１に接続する。次いで、モジュール固定ケース２１３にレンズ２１１を配置し、レンズ固定ケース２１４によりレンズ２１１を放熱板４０に固定する。次いで、放熱板４０の取付孔４０１と化粧枠２４の取付孔２４１とをネジ止めすることにより、化粧枠２４に放熱板４０と非常用光源２１および点灯ユニット２７が固定される。この固定の際に非常用光源２１（レンズ２１１）と光源用開口部２４３との位置、点検スイッチ２２とスイッチ開口部２４４との位置、モニタランプ２３とモニタ開口部２４５との位置を調整する。次いで、図６に示すように筐体４の裏面から筐体４と化粧枠の取付部２４１をネジ２４６により固定する。次いで、図７に示すように、点灯ユニット２７から延びた蓄電池用の配線（図示しない）と蓄電池２６とを接続し、開口部２４２に蓄電池２６を挿入する。このあと、筐体４の凹部５にＬＥＤバー３を取り付けることにより、照明装置１００の組み立て作業が完了となる。
【００３４】
このように、開口部２４２を設けた化粧枠２４を筐体４に固定することにより、蓄電池２６を交換する場合に化粧枠２４を筐体化４から取り外す必要が無いため、蓄電池２６の交換作業が容易となるとともに、蓄電池２６の交換作業で化粧枠２４と非常用光源２１、点検スイッチ２２およびモニタランプ２３との位置がずれることを抑制することができる。また、非常用光源２１および点灯ユニット２７は、筐体４に取り付けられる前に化粧枠２４に固定されるため、化粧枠２４を筐体４に取り付けた後に化粧枠２４と非常用光源２１、点検スイッチ２２およびモニタランプ２３との位置ずれの発生を抑制することができる。
【００３５】
さらに、化粧枠２４の取付部２４１は筐体４の凹部５に筐体４の裏面からネジ止め固定されるため、筐体４を天井面に取付けた後に  照明装置１００の外部から化粧枠２４を取り外すことができない。そのため、蓄電池２６を交換する際に作業者が誤って化粧枠２４を取り外すことを防止することができる。また、化粧枠５の取付部２４１は、凹部５にＬＥＤバー３を取り付けることにより照明装置１００の外観から視認できなくなるため、照明装置１００の外観美を向上することができる。
【００３６】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３７】
１００  照明装置
２１  第２の光源（非常用光源）
３  第１の光源（ＬＥＤバー）
４  筐体
５  凹部
２１１  レンズ
２２  点検スイッチ
２３  モニタランプ
２４  化粧枠（カバー）
２４１  取付部
２４２  開口部
２６  蓄電池
２７  点灯ユニット
【図１】
2019175747.tif 000003
【図２】
2019175747.tif 000004
【図３】
2019175747.tif 000005
【図４】
2019175747.tif 000006
【図５】
2019175747.tif 000007
【図６】
2019175747.tif 000008
【図７】
2019175747.tif 000009